(57)【特許請求の範囲】
【請求項１】
複数の表示画素が２次元配置された表示領域と、前記表示領域の周縁に設けられた環状のフレーム領域とを有するパネル部と、
前記パネル部と対向する位置に配置され、かつ遮光領域と光透過領域とからなるバリアパターンを有するバリア部と、
前記パネル部および前記バリア部を収容する筐体と、
を備え、
前記遮光領域および前記光透過領域はともに、前記表示領域と対向する第１領域と、前記フレーム領域と対向する環状の第２領域とに配置され、
前記筐体は、開口を有し、
前記開口のエッジは、前記フレーム領域と対向する領域内に配置され、
前記フレーム領域は、前記開口内に露出する環状のフレーム露出領域と、前記筐体に覆われている環状のフレーム被覆領域と、を有し、
前記第２領域において前記フレーム露出領域と対向する領域には、前記遮光領域と前記光透過領域との双方が配置されている
表示パネル。
【請求項２】
前記第２領域において、前記フレーム露出領域と対向する領域における前記バリアパターンと、前記フレーム被覆領域と対向する領域における前記バリアパターンと、が異なっている
請求項１に記載の表示パネル。
【請求項３】
前記光透過領域は、複数の光透過スリットからなる
請求項１または２に記載の表示パネル。
【請求項４】
前記複数の光透過スリットは、全体として規則的に配置される
請求項３に記載の表示パネル。
【請求項５】
各光透過スリットは、互いに同一形状、同一サイズとなっている
請求項４に記載の表示パネル。
【請求項６】
前記光透過領域は、前記第２領域において、前記表示領域の左右方向に対応する箇所に配置される
請求項４に記載の表示パネル。
【請求項７】
前記光透過領域は、前記第２領域において、前記表示領域の上下方向に対応する箇所にも配置される
請求項６に記載の表示パネル。
【請求項８】
前記複数の光透過スリットのうち全部または一部の光透過スリットが、前記第１領域および前記第２領域の双方の領域にまたがって配置される
請求項４に記載の表示パネル。
【請求項９】
前記表示領域は、四辺を有する方形状となっており、
前記遮光領域は、前記表示領域の一辺と平行な方向に延在する複数の遮光スリットからなる
請求項４に記載の表示パネル。
【請求項１０】
前記表示領域は、四辺を有する方形状となっており、
前記遮光領域は、前記表示領域の一辺と交差する方向に延在する複数の遮光スリットからなる
請求項４に記載の表示パネル。
【請求項１１】
前記表示領域は、四辺を有する方形状となっており、
前記光透過領域は、複数の光透過スリットからなり、
前記複数の光透過スリットは、前記表示領域の一辺と交差する第１方向に配列されると共に、前記第１方向と交差する第２方向にも配列される
請求項４に記載の表示パネル。
【請求項１２】
前記バリア部は、前記遮光領域に遮光部材を有し、前記光透過領域に開口を有する
請求項４に記載の表示パネル。
【請求項１３】
前記バリア部は、前記遮光領域の光学的な性質を、外部からの制御信号に基づいて制御可能となっている
請求項４に記載の表示パネル。
【請求項１４】
複数の表示画素が２次元配置された表示領域と、前記表示領域の周縁に設けられた環状のフレーム領域とを有するパネル部と、
前記パネル部と対向する位置に配置され、かつ遮光領域と光透過領域とからなるバリアパターンを有するバリア部と、
前記パネル部および前記バリア部を収容する筐体と、
前記パネル部および前記バリア部のうち少なくとも前記パネル部を駆動する駆動部と
を備え、
前記遮光領域および前記光透過領域はともに、前記表示領域と対向する第１領域と、前記フレーム領域と対向する環状の第２領域とに配置され、
前記筐体は、開口を有し、
前記開口のエッジは、前記フレーム領域と対向する領域内に配置され、
前記フレーム領域は、前記開口内に露出する環状のフレーム露出領域と、前記筐体に覆われている環状のフレーム被覆領域と、を有し、
前記第２領域において前記フレーム露出領域と対向する領域には、前記遮光領域と前記光透過領域との双方が配置されている
表示装置。
【請求項１５】
表示装置を備え、
前記表示装置は、
複数の表示画素が２次元配置された表示領域と、前記表示領域の周縁に設けられた環状のフレーム領域とを有するパネル部と、
前記パネル部と対向する位置に配置され、かつ遮光領域と光透過領域とからなるバリアパターンを有するバリア部と、
前記パネル部および前記バリア部を収容する筐体と、
前記パネル部および前記バリア部のうち少なくとも前記パネル部を駆動する駆動部と
を有し、
前記遮光領域および前記光透過領域はともに、前記表示領域と対向する第１領域と、前記フレーム領域と対向する環状の第２領域とに配置され、
前記筐体は、開口を有し、
前記開口のエッジは、前記フレーム領域と対向する領域内に配置され、
前記フレーム領域は、前記開口内に露出する環状のフレーム露出領域と、前記筐体に覆われている環状のフレーム被覆領域と、を有し、
前記第２領域において前記フレーム露出領域と対向する領域には、前記遮光領域と前記光透過領域との双方が配置されている
電子機器。
【発明の詳細な説明】
【技術分野】
【０００１】
本発明は、視点ごとでそれぞれ異なる２次元映像（平面映像）を視認することの可能なマルチビュー表示、または特定の視点で３次元映像（立体映像）を視認することの可能な３次元表示を行うことの可能な表示パネルに関する。また、本発明は、上記の表示パネルを備えた表示装置と、上記の表示装置を備えた電子機器とに関する。
【背景技術】
【０００２】
近年、マルチビュー表示または３次元表示の可能な表示装置が実用化されている。そのような表示装置の１つとして、例えば、表示パネルの表示領域上にバリア層を備えたものが知られている。そのようなバリア層の１つとして、例えば、特許文献１では、遮光領域によって隔たれた光透過性の複数のスリットが設けられたものが開示されている。また、例えば、特許文献２では、液晶に電圧が印加されることにより遮光領域が生成されるバリア液晶が開示されている。
【先行技術文献】
【特許文献】
【０００３】
【特許文献１】特開平９−２８１４４０号公報
【特許文献２】特開平８−１０６０７０号公報
【発明の概要】
【発明が解決しようとする課題】
【０００４】
ところで、上述したようなバリア層が設けられている場合には、バリア層の周縁から光漏れが発生しやすくなる。そこで、例えば、バリア層の周縁を筐体の金枠で覆うことが考えられる。そのようにするためには、複数の表示画素が２次元配置された表示領域のエッジと金枠のエッジをぴったりと一致させることが必要となる。しかし、そのためには、金枠を画素サイズのレベルで位置決めすることが必要となり、金枠のちょっとした寸法誤差や位置ズレによって、金枠が表示画素を覆ってしまう虞がある。
【０００５】
また、例えば、バリア層の外縁を、光漏れが生じる領域にまで拡大して、光漏れを防止することが考えられる。通常、金枠は、寸法誤差や位置ズレなどを考慮して、表示領域よりもゆとりのあるサイズとなっている。そのため、上記のようにバリア層の外縁を拡大した場合には、金枠と、表示領域との間に、バリア層の遮光領域が位置することになるので、その遮光領域が黒い筋のように見えてしまうことがある。特に、金枠が白色などの明るい色で装飾されている場合には、その黒い筋が際立って見え、表示不良とみなされてしまう場合がある。
【０００６】
本発明はかかる問題点に鑑みてなされたもので、その目的は、黒い筋を目立たなくすることの可能な表示パネルならびにそれを備えた表示装置および電子機器を提供することにある。
【課題を解決するための手段】
【０００７】
本発明による表示パネルは、パネル部と、パネル部と対向する位置に配置されたバリア部と、パネル部およびバリア部を収容する筐体と、を備える。パネル部は、複数の表示画素が２次元配置された表示領域と、表示領域の周縁に設けられた環状のフレーム領域とを有する。バリア部は、遮光領域と光透過領域とからなるバリアパターンを有する。遮光領域および光透過領域はともに、表示領域と対向する第１領域と、フレーム領域と対向する環状の第２領域とに配置される。筐体は、開口を有し、開口のエッジは、フレーム領域と対向する領域内に配置される。フレーム領域は、開口内に露出する環状のフレーム露出領域と、筐体に覆われている環状のフレーム被覆領域と、を有する。第２領域においてフレーム露出領域と対向する領域には、遮光領域と光透過領域との双方が配置されている。
第２領域において、フレーム露出領域と対向する領域におけるバリアパターンと、フレーム被覆領域と対向する領域におけるバリアパターンと、は異なっていてもよい。
【０００８】
本発明による表示装置は、上記の表示パネルと、パネル部およびバリア部のうち少なくともパネル部を駆動する駆動部とを備えたものである。本発明による電子機器は、上記の表示装置を備えたものである。
【０００９】
本発明による表示パネル、表示装置および電子機器では、バリア部の遮光領域および光透過領域はともに、表示領域と対向する第１領域だけでなく、フレーム領域と対向する環状の第２領域にも配置される。これにより、表示領域だけでなく、フレーム領域にも、バリアパターンに含まれる遮光領域が配置されるとともに、バリアパターンに含まれる光透過領域が配置される。その結果、表示領域だけでなく、フレーム領域においても、表示に不必要な光がバリアパターンに含まれる遮光領域で遮断される。さらに、表示領域だけでなく、フレーム領域からも、バリアパターンに含まれる光透過領域を透過した光が出力される。
【００１０】
本発明による表示パネル、表示装置および電子機器において、光透過領域は、例えば、複数の光透過スリットで構成されている。この場合に、複数の光透過スリットは、全体として規則的に配置されており、例えば、各光透過スリットは、互いに同一形状、同一サイズとなっている。
【００１１】
光透過領域は、例えば、第２領域において、表示領域の左右方向に対応する箇所に配置されており、さらに、必要に応じて、第２領域において、表示領域の上下方向に対応する箇所にも配置されていてもよい。複数の光透過スリットのうち一部の光透過スリットが、第２領域にだけ配置され、第１領域にはみ出さないように配置されていてもよい。また、複数の光透過スリットのうち全部または一部の光透過スリットが、第１領域および第２領域の双方の領域にまたがって配置されていてもよい。
【００１２】
表示領域は、例えば、四辺を有する方形状となっている。この場合に、遮光領域は、表示領域の一辺と平行な方向に延在する複数の遮光スリットによって構成されていてもよいし、表示領域の一辺と交差する方向に延在する複数の遮光スリットからなる。また、光透過領域は、表示領域の一辺と交差する第１方向に配列されると共に、第１方向と交差する第２方向にも配列された複数の光透過スリットによって構成されていてもよい。
【００１３】
バリア部は、遮光領域に遮光部材を有し、光透過領域に開口を有していてもよい。また、バリア部は、遮光領域の光学的な性質を、外部からの制御信号に基づいて制御可能となっていてもよい。
【発明の効果】
【００１４】
本発明による表示パネル、表示装置および電子機器によれば、表示領域だけでなく、フレーム領域においても、表示に不必要な光がバリアパターンに含まれる遮光領域で遮断されるとともに、表示領域だけでなく、フレーム領域からも、バリアパターンに含まれる光透過領域を透過した光が出力されるようにしたので、表示不良につながる光漏れを防止しつつ、黒い筋を目立たなくすることができる。
【００１５】
また、本発明において、光透過領域が、第２領域において、表示領域の左右方向に対応する箇所だけでなく、表示領域の上下方向に対応する箇所にも配置されている場合には、表示パネルを９０度回転させて使用する場合などでも、表示不良につながる光漏れを防止しつつ、黒い筋を目立たなくすることができる。
【図面の簡単な説明】
【００１６】
【図１】本発明の一実施の形態に係る表示装置の断面構成および平面構成の一例を表す図である。
【図２】図１のバリア部の平面構成の一例を、パネル部と一緒に表す図である。
【図３】図１のバリア部の平面構成の他の例を、パネル部と一緒に表す図である。
【図４】バリア部の内部構成の一例をパネル部と共に表す断面図である。
【図５】バリア部の内部構成の一変形例をパネル部と共に表す断面図である。
【図６】バリア部の内部構成の他の変形例をパネル部と共に表す断面図である。
【図７】バリア部の内部構成のその他の変形例をパネル部と共に表す断面図である。
【図８】図１のバリア部の平面構成の一変形例を表す図である。
【図９】図１のバリア部の平面構成の他の変形例を表す図である。
【図１０】図８のバリア部の平面構成の一変形例を表す図である。
【図１１】図１０のＡ−Ａ矢視方向の断面構成の一例を表す図である。
【図１２】図９のバリア部の平面構成の一変形例を表す図である。
【図１３】図１２のＡ−Ａ矢視方向の断面構成の一例を表す図である。
【図１４】図１の表示装置の断面構成の他の例を表す図である。
【図１５】一適用例に係る電子機器の一例を表す斜視図である。
【発明を実施するための形態】
【００１７】
以下、発明を実施するための形態について、図面を参照して詳細に説明する。なお、説明は以下の順序で行う。
１．実施の形態（図１〜図７）
パネル部の上にストライプバリアが設けられている例
バリア部がフレーム領域の両脇に形成されている例
２．変形例（図８〜図１４）
パネル部の上に斜めバリアまたはステップバリアが設けられている例
バリア部がフレーム領域の上下にも形成されている例
３．適用例（図１５）
上記の表示装置が電子機器に適用された例
【００１８】
＜実施の形態＞
［構成］
図１（Ａ）は、一実施の形態に係る表示装置１の断面構成の一例を表したものである。図１（Ｂ）は、図１の表示装置１の上面構成の一例を表したものである。なお、図１（Ａ），（Ｂ）は、模式的に表したものであり、実際の寸法や形状と同一であるとは限らない。表示装置１は、表示パネル２０と、表示パネル２０の背後に配置されたバックライト１０とを備えている。この表示装置１は、さらに、表示パネル２０およびバックライト１０を収容する筐体５０と、表示パネル２０（具体的には後述のパネル部３０）を駆動する駆動部（図示せず）とを備えている。
【００１９】
バックライト１０は、表示パネル２０を背後から照明する面発光源である。筐体５０は、映像表示面１Ａである表示パネル２０の上面と対向する部分に開口５０Ａを有している。開口５０Ａのエッジは、後述するフレーム領域３０Ｂと対向する領域内に配置されている。表示パネル２０は、パネル部３０およびバリア部４０を有している。表示パネル２０の上面が映像表示面１Ａとなっており、バリア部４０は、映像表示面１Ａ側の表面に配置されている。
【００２０】
パネル部３０は、外部から入力される映像信号に応じて各表示画素３１（後述の図１（Ｂ）参照）が駆動される透過型のパネルである。パネル部３０は、例えば、液晶パネル、有機ＥＬ(Electro-Luminescence)パネル、またはプラズマパネルである。パネル部３０は、例えば、図１（Ｂ）に示したように、４辺を有する方形状となっている。なお、以下では、パネル部３０の４辺のうち互いに対向する２辺が水平方向を向いており、残りの２辺が垂直方向を向いているものとして、種々の説明を行う。
【００２１】
パネル部３０は、複数の表示画素３１が２次元配置された表示領域３０Ａを有し、その周縁に環状のフレーム領域３０Ｂを有する。表示領域３０Ａは、例えば、図１（Ｂ）に示したように、パネル部３０と同様、４辺を有する方形状となっている。なお、以下では、フレーム領域３０Ｂのうち、表示領域３０Ａを間にして水平方向（図１（Ｂ）の左右方向）に対向する箇所を部分領域３０Ｃと称するものとする。また、フレーム領域３０Ｂのうち、表示領域３０Ａを間にして垂直方向（図１（Ｂ）の上下方向）に対向する箇所を部分領域３０Ｄと称するものとする。
【００２２】
フレーム領域３０Ｂは、筐体５０の開口５０Ａとの関係で２つの領域に区分することができ、例えば、図１（Ｂ）に示したように、開口５０Ａ内に露出する環状のフレーム露出領域３０Ｂ−１と、筐体５０に覆われている環状のフレーム被覆領域３０Ｂ−２とからなる。フレーム露出領域３０Ｂ−１が表示領域３０Ａ側に配置されており、フレーム被覆領域３０Ｂ−２がフレーム露出領域３０Ｂ−１の周縁に配置されている。フレーム領域３０Ｂは、後述の図４に示したように、遮光性を有するブラック３３で覆われている。ブラック３３は、図示しないが、例えば、表示画素３１間にも配置されている。
【００２３】
表示領域３０Ａに設けられた各表示画素３１は、複数のサブピクセル３２からなる。表示画素３１は、例えば、図１（Ｂ）に示したように、赤色用のサブピクセル３２Ｒ、緑色用のサブピクセル３２Ｇ、および青色用のサブピクセル３２Ｂからなる。各表示画素３１のサブピクセル３２Ｒは、例えば、垂直方向（図１（Ｂ）の上下方向）に一列に配置されている。同様に、各表示画素３１のサブピクセル３２Ｇも、例えば、垂直方向（図１（Ｂ）の上下方向）に一列に配置されており、各表示画素３１のサブピクセル３２Ｂも、例えば、垂直方向（図１（Ｂ）の上下方向）に一列に配置されている。つまり、サブピクセル３２Ｒ，３２Ｇ，３２Ｂは、いわゆるストライプ配列となっている。なお、表示画素３１に含まれるサブピクセル３２の色の種類および数は、上記に限られるものではない。また、サブピクセル３２Ｒ，３２Ｇ，３２Ｂの配列も、上記に限られるものではない。
【００２４】
バリア部４０は、パネル部３０の各表示画素３１から出射された光（画像光）の一部を遮蔽するものである。バリア部４０は、画像光の一部を遮蔽することにより、観察者が視点ごとでそれぞれ異なる２次元映像（平面映像）を視認したり、特定の視点で３次元映像（立体映像）を視認したりすることを可能にするものである。バリア部４０が、観察者が視点ごとでそれぞれ異なる２次元映像（平面映像）を視認できるように構成されている場合には、表示装置１は、いわゆるマルチビュー表示装置となる。一方、バリア部４０が、特定の視点で３次元映像（立体映像）を視認できるように構成されている場合には、表示装置１は、３次元映像表示装置となる。
【００２５】
バリア部４０は、例えば、図２に示したように、パネル部３０と対向する位置に配置されており、かつ遮光スリット４０Ａと光透過スリット４０Ｂとからなるバリアパターンを有する。なお、遮光スリット４０Ａが、特許請求の範囲に記載の遮光領域の一具体例に相当する。また、光透過スリット４０Ｂが、特許請求の範囲に記載の光透過領域の一具体例に相当する
【００２６】
各遮光スリット４０Ａは、例えば、遮光部材によって構成されている。複数の遮光スリット４０Ａは、全体として規則的に配置されている。各遮光スリット４０Ａは、例えば、図２に示したように、互いに同一形状、同一サイズとなっている。一方、各光透過スリット４０Ｂは、例えば、開口となっている。複数の光透過スリット４０Ｂは、全体として規則的に配置されている。各光透過スリット４０Ｂは、例えば、図２に示したように、互いに同一形状、同一サイズとなっている。
【００２７】
複数の遮光スリット４０Ａは、例えば、図２に示したように、図２の上下方向（垂直方向）に延在するとともに、図２の左右方向（水平方向）に一列に配置されている。同様に、光透過スリット４０Ｂは、例えば、図２に示したように、図２の上下方向（垂直方向）に延在するとともに、図２の左右方向（水平方向）に一列に配置されている。各遮光スリット４０Ａは、表示領域３０Ａおよびフレーム領域３０Ｂの双方の領域にまたがらないように配置されている。つまり、一部の遮光スリット４０Ａは、表示領域３０Ａにだけ配置されており、他の遮光スリット４０Ａは、フレーム領域３０Ｂにだけ配置されている。一方、各光透過スリット４０Ｂは、表示領域３０Ａおよびフレーム領域３０Ｂの双方の領域にまたがらないように配置されているものもあれば、表示領域３０Ａおよびフレーム領域３０Ｂの双方の領域にまたがるように配置されているものもある。遮光スリット４０Ａおよび光透過スリット４０Ｂは、例えば、図２に示したように、配列方向に交互に配置されている。
【００２８】
なお、全ての遮光スリット４０Ａが同一形状、同一サイズとなっている必要はなく、例えば、図３に示したように、複数の遮光スリット４０Ａのうち配列方向の両端にある１または複数の遮光スリット４０Ａだけが、他の遮光スリット４０Ａの幅よりも広い幅となっていてもよい。つまり、各遮光スリット４０Ａは、各光透過スリット４０Ｂが互いに同一形状、同一サイズとなっている範囲内で、種々の形状、サイズとなっていてもよい。
【００２９】
図４は、図２のＡ−Ａ矢視方向の断面構成の一例を模式的に表したものである。遮光スリット４０Ａおよび光透過スリット４０Ｂは、図２〜図４に示したように、表示領域３０Ａと対向する領域と、フレーム領域３０Ｂと対向する環状の領域とに配置されている。つまり、遮光スリット４０Ａおよび光透過スリット４０Ｂは、表示領域３０Ａと対向する領域だけでなく、フレーム領域３０Ｂと対向する環状の領域にも配置されている。
【００３０】
遮光スリット４０Ａおよび光透過スリット４０Ｂは、表示領域３０Ａと対向する領域に配置されるとともに、フレーム領域３０Ｂと対向する環状の領域において、表示領域３０Ａの左右方向に対応する箇所（すわわち部分領域３０Ｃ）に配置されている。遮光スリット４０Ａおよび光透過スリット４０Ｂは、図４に示したように、フレーム露出領域３０Ｂ−１およびフレーム被覆領域３０Ｂ−２の双方の領域に形成されている。
【００３１】
遮光スリット４０Ａは、例えば、図４に示したように、右側のフレーム露出領域３０Ｂ−１と、左側のフレーム露出領域３０Ｂ−１とに１つずつ形成されている。なお、例えば、図５に示したように、遮光スリット４０Ａは、右側のフレーム露出領域３０Ｂ−１と、左側のフレーム露出領域３０Ｂ−１とに２つずつ以上形成されていてもよい。また、遮光スリット４０Ａは、例えば、図４に示したように、右側のフレーム被覆領域３０Ｂ−２と、左側のフレーム被覆領域３０Ｂ−２とに１つずつ形成されている。なお、例えば、図６に示したように、遮光スリット４０Ａは、右側および左側のフレーム被覆領域３０Ｂ−２に形成されていなくてもよい。また、例えば、図示しないが、遮光スリット４０Ａは、右側のフレーム被覆領域３０Ｂ−２と、左側のフレーム被覆領域３０Ｂ−２とに２つずつ以上形成されていてもよい。
【００３２】
光透過スリット４０Ｂは、例えば、図４に示したように、表示領域３０Ａと、フレーム露出領域３０Ｂ−１とにまたがって形成されている。また、光透過スリット４０Ｂは、例えば、図４に示したように、フレーム露出領域３０Ｂ−１と、フレーム被覆領域３０Ｂ−２とにまたがって形成されている。なお、例えば、図７に示したように、遮光スリット４０Ａがフレーム露出領域３０Ｂ−１と、フレーム被覆領域３０Ｂ−２とにまたがって形成されていてもよい。このとき、光透過スリット４０Ｂが、フレーム露出領域３０Ｂ−１と、フレーム被覆領域３０Ｂ−２とにまたがらないように、フレーム露出領域３０Ｂ−１内に形成されていてもよい。
【００３３】
［動作］
本実施の形態では、バックライト１０から出力された光がパネル部３０の各表示画素３２で変調され、所定の画像光がバリア部４０に出力される。その後、画像光の一部は、バリア部４０の遮光スリット４０Ａで遮断され、光透過スリット４０Ｂを透過した光が表示パネル２０の映像表示面１Ａから出力される。映像表示面１Ａから出力された光は、例えば、複数の視点で結像し、２次元映像（平面映像）が生成される。また、映像表示面１Ａから出力された光は、例えば、特定の視点で結像し、３次元映像（立体映像）が生成される。
【００３４】
［効果］
本実施の形態では、バリア部４０の遮光スリット４０Ａおよび光透過スリット４０Ｂはともに、表示領域３０Ａと対向する領域だけでなく、フレーム領域３０Ｂと対向する環状の領域にも配置される。これにより、表示領域３０Ａだけでなく、フレーム領域３０Ｂにも、バリアパターンに含まれる遮光スリット４０Ａが配置されるとともに、バリアパターンに含まれる光透過スリット４０Ｂが配置される。その結果、表示領域３０Ａだけでなく、フレーム領域３０Ｂにおいても、表示に不必要な光がバリアパターンに含まれる遮光スリット４０Ａで遮断される。さらに、表示領域３０Ａだけでなく、フレーム領域３０Ｂからも、バリアパターンに含まれる光透過スリット４０Ｂを透過した光が出力される。従って、表示不良につながる光漏れを防止しつつ、黒い筋を目立たなくすることができる。
【００３５】
＜２．変形例＞
［第１変形例］
上記実施の形態では、各遮光スリット４０Ａが、例えば、遮光部材によって構成されており、各光透過スリット４０Ｂが、例えば、開口となっており、バリア部４０は、静的な構成となっていた。しかし、バリア部４０は、遮光スリット４０Ａの光学的な性質を、外部からの制御信号に基づいて制御可能な動的な構成となっていてもよい。
【００３６】
バリア部４０が、例えば、透明電極を備えたガラスなどからなる一対の透明電極基板と、一対の透明電極基板の外側に設けられた一対の偏光板とを有している。一対の透明電極基板は、それぞれ対向する面に、所定の方向に配向処理された配向膜を有している。バリア部４０は、一対の透明電極基板の間に液晶層を有している。バリア部４０は、遮光スリット４０Ａに対応する箇所に透明電極を有しており、光透過スリット４０Ｂに対応する箇所にも、先の透明電極とは独立に駆動可能な透明電極を有している。このように、本変形例では、バリア部４０が動的な構成となっているので、駆動部は、パネル部３０だけでなく、バリア部４０も駆動するようになっている。
【００３７】
本変形例では、バリア部４０が動的な構成となっているだけで、あとは上記実施の形態と同様の構成となっている。そのため、上記実施の形態と同様、表示不良につながる光漏れを防止しつつ、黒い筋を目立たなくすることができる。
【００３８】
［第２変形例］
上記実施の形態では、バリアパターンが垂直方向に延在していたが、例えば、斜め方向に延在していてもよい。例えば、図８に示したように、遮光スリット４０Ａおよび光透過スリット４０Ｂが垂直方向と交差する方向（つまり斜め方向）に延在していてもよい。なお、図８は、本変形例に係るバリア部４０の平面構成の一例を、パネル部３０と一緒に表したものである。
【００３９】
本変形例では、一部の遮光スリット４０Ａが、表示領域３０Ａおよびフレーム領域３０Ｂの双方の領域にまたがって配置されている。同様に、一部の光透過スリット４０Ｂも、表示領域３０Ａおよびフレーム領域３０Ｂの双方の領域にまたがって配置されている。
【００４０】
本変形例でも、上記実施の形態と同様、表示領域３０Ａだけでなく、フレーム領域３０Ｂにおいても、表示に不必要な光がバリアパターンに含まれる遮光スリット４０Ａで遮断される。さらに、表示領域３０Ａだけでなく、フレーム領域３０Ｂからも、バリアパターンに含まれる光透過スリット４０Ｂを透過した光が出力される。従って、表示不良につながる光漏れを防止しつつ、黒い筋を目立たなくすることができる。
【００４１】
［第３変形例］
上記実施の形態では、バリアパターンが垂直方向または斜め方向に延在していたが、例えば、ステップバリアのパターンとなっていてもよい。ステップバリアのパターンとは、例えば、図９に示したように、複数の光透過スリット４０Ｂが、表示領域３０Ａ（またはパネル部３０）の一辺と交差する方向に配列されると共に、その配列方向と交差する方向にも配列されたパターンを指している。なお、図９は、本変形例に係るバリア部４０の平面構成の一例を、パネル部３０と一緒に表したものである。
【００４２】
本変形例でも、上記実施の形態と同様、表示領域３０Ａだけでなく、フレーム領域３０Ｂにおいても、表示に不必要な光がバリアパターンに含まれる遮光スリット４０Ａで遮断される。さらに、表示領域３０Ａだけでなく、フレーム領域３０Ｂからも、バリアパターンに含まれる光透過スリット４０Ｂを透過した光が出力される。従って、表示不良につながる光漏れを防止しつつ、黒い筋を目立たなくすることができる。
【００４３】
［第４変形例］
上記第２変形例および第３変形例において、例えば、図１０〜図１３に示したように、遮光スリット４０Ａおよび光透過スリット４０Ｂが、表示領域３０Ａおよび部分領域３０Ｃだけでなく、さらに部分領域３０Ｄにも配置されていてもよい。なお、図１０は、上記第２変形例に係るバリア部４０の平面構成の一変形例を表したものである。図１１は、図１０のＡ−Ａ矢視方向の断面構成の一例を表したものである。図１２は、上記第３変形例に係るバリア部４０の平面構成の一変形例を表したものである。図１３は、図１２のＡ−Ａ矢視方向の断面構成の一例を表したものである。
【００４４】
本変形例のように、遮光スリット４０Ａおよび光透過スリット４０Ｂが、表示領域３０Ａ、部分領域３０Ｃ，３０Ｄに配置されている場合には、例えば、パネル部３０を９０度回転させて使用した場合などでも、表示不良につながる光漏れを防止しつつ、黒い筋を目立たなくすることができる。
【００４５】
［第５変形例］
上記実施の形態ならびに第１変形例ないし第４変形例において、例えば、図１４に示したように、バリア部４０が、パネル部３０の下（つまり、パネル部３０とバックライト１０との間）に配置されていてもよい。このようにした場合であっても、表示不良につながる光漏れを防止しつつ、黒い筋を目立たなくすることができる。
【００４６】
＜３．適用例＞
次に、上記実施の形態およびその変形例に係る表示装置１の一適用例について説明する。図１５は、本適用例に係る電子機器１００の概略構成の一例を表す斜視図である。電子機器２は、携帯電話機であり、例えば、図１５に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００４７】
表示装置１１３は、上記実施の形態およびその変形例に係る表示装置１と同一の構成を備えている。これにより、表示装置１１３において、表示不良につながる光漏れを防止しつつ、黒い筋を目立たなくすることができる。
【００４８】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【符号の説明】
【００４９】
１…表示装置、１Ａ…映像表示面、１０…バックライト、２０…表示パネル、３０…パネル部、３０Ａ…表示領域、３０Ｂ…フレーム領域、３０Ｂ−１…フレーム露出領域、３０Ｂ−２…フレーム被覆領域、３０Ｃ，３０Ｄ…部分領域、３１…表示画素、３２，３２Ｒ，３２Ｇ，３２Ｂ…サブピクセル、３３…ブラック、４０…バリア部、４０Ａ…遮光スリット、４０Ｂ…光透過スリット、５０…筐体、５０Ａ…開口、１００…電子機器、１１１…本体部、１１２…表示体部、１１３…表示装置、１１４…表示画面、１１５…操作ボタン、１１６…送話部。
【図１】
0005730091.tif 000002
【図２】
0005730091.tif 000003
【図３】
0005730091.tif 000004
【図４】
0005730091.tif 000005
【図５】
0005730091.tif 000006
【図６】
0005730091.tif 000007
【図７】
0005730091.tif 000008
【図８】
0005730091.tif 000009
【図９】
0005730091.tif 000010
【図１０】
0005730091.tif 000011
【図１１】
0005730091.tif 000012
【図１２】
0005730091.tif 000013
【図１３】
0005730091.tif 000014
【図１４】
0005730091.tif 000015
【図１５】
0005730091.tif 000016